(57)【要約】【課題】冷蔵庫の冷却器下部に設置したガラス管ヒータの除霜効率向上を図る。【解決手段】本体側面に冷却ユニットが設けられた冷蔵庫において、冷却器１の下部に除霜用のガラス管ヒータ２を設置した場合には、除霜運転時のガラス管ヒータ２の上昇熱が上面のカバー３によって遮られ、除霜効率を悪くしているが、ドレン４をアルミで構成し、冷却器１をドレン４のフランジ５に取り付けると共にダクトカバー６に、断熱用の部材７を取付けることで除霜効率を向上できる。【選択図】図１
2005098574.tif 000002
【特許請求の範囲】
【請求項１】
断熱箱体の内側の側壁面に冷却ユニットが設けられ、前記冷却ユニットは、冷却器下部に配置された除霜用のヒータと、そのヒータ下部に除霜水の受けとして設置されたドレンとからなり、前記冷却ユニットを収納し冷却室を構成するダクトカバーを備えた冷蔵庫において、前記ダクトカバーに断熱用の部材を取付けると共に前記ドレンをアルミで構成し、ドレンの庫内壁面取付け部のフランジを上部に延設し、冷却器をそのフランジに取付けることを特徴とする冷蔵庫。
【請求項２】
前記ダクトカバーと前記冷却器の間にアルミ板を配置し、アルミ板の一部を前記ヒータに近接する形状にしていることを特徴とする請求項１記載の冷蔵庫。
【請求項３】
前記冷却器の両サイドのアルミプレートに前記ガラス管ヒータを取付けるためのホルダーを設けると共に、アルミプレートにヒータの上面と側面を覆うカバーが設けられていることを特徴とする請求項１記載の冷蔵庫。
【発明の詳細な説明】
【技術分野】
【０００１】
本発明は、断熱箱体の側面に冷却ユニットが設けられ、断熱箱体内部に冷却器と除霜用のガラス管ヒータを設置してなる冷蔵庫に関するものである。
【背景技術】
【０００２】
従来より冷却器の除霜用にガラス管ヒータを採用したものは公知である。
すなわち、ガラス管ヒータを冷却器下部に設置し、冷却器の除霜水がガラス管ヒータ上に滴下するのを防止するために、ガラス管ヒータの上面をカバーで覆う必要がある。しかし、そのカバーが除霜効率を悪くしているため、断熱箱体の側面に冷却ユニットが設けられた主に業務用として使う冷蔵庫においては、冷却器が大型になり、除霜時間が長くなるといった欠点があるため、ガラス管ヒータを冷却器下面から突出した状態で設置し、除霜効率を上げたもの（例えば、特許文献１参照）がある。
【０００３】
以下、図面を参照しながら上記従来の冷蔵庫のガラス管ヒータの配置構造を説明する。
【０００４】
図４は従来の冷蔵庫の冷却室の断面図である。図４に示すように、除霜用のガラス管ヒータ２は、カバー１２内に収納されて冷却器１のケーシング１３に取付けられていることにより、冷却器１の下部を効率よく加熱でき、冷却器１の下部から冷却器１の全体へ熱伝導し除霜する。
【特許文献１】特開平１０−２６４６２号公報
【発明の開示】
【発明が解決しようとする課題】
【０００５】
しかしながら、上記従来の構成は、ガラス管ヒータが冷却器から突出した状態で設置しているため、断熱箱体内に冷却器を設置した場合は、ガラス管ヒータが断熱箱体から突出し、断熱箱体内へ物を収納するときの妨げになるという欠点があった。
【０００６】
本発明は従来の課題を解決するもので、冷却器下部にガラス管ヒータを設置して突出をなくした状態で除霜効率の向上を計ることを目的とする。
【課題を解決するための手段】
【０００７】
上記従来の課題を解決するために、本発明の冷蔵庫は、断熱箱体の内側の側壁面に冷却ユニットが設けられ、前記冷却ユニットは、冷却器下部に配置された除霜用のガラス管ヒータと、そのガラス管ヒータ下部に除霜水の受けとして設置されたドレンとからなり、前記冷却ユニットを収納し冷却室を構成するダクトカバーを備えた冷蔵庫において、前記ダクトカバーに断熱用の部材を取付けると共に前記ドレンをアルミで構成し、ドレンの庫内壁面取付け部のフランジを上部に延設し、冷却器をそのフランジに取付けることにより前記ガラス管ヒータの熱を効率よく冷却器全体に伝え、除霜効率を向上させる。
【発明の効果】
【０００８】
以上説明したように請求項１に記載の発明は、ダクトカバーに断熱用の部材を取付けると共にドレンをアルミで構成し、ドレンの庫内壁面取付け部のフランジを伸ばし、冷却器をそのフランジに取付けることによりフランジを介して前記ガラス管ヒータの熱を効率よく冷却器全体に伝え、除霜効率を向上させることができる。
【０００９】
また、請求項２に記載の発明は、請求項１に記載の発明に加えて、断熱用の部材と冷却器の間にアルミ板を取り付け、アルミ板の一部をガラス管ヒータに近接する形状にすることで、除霜運転時に、ガラス管ヒータの熱をアルミ板を介して冷却器全体に伝熱させることができ、除霜効率を向上させることができる。
【００１０】
また、請求項３に記載の発明は、請求項１に記載のフランジを利用してガラス管ヒータの熱を冷却器全体に伝熱させる代わりに、冷却器の両サイドのアルミプレートにガラス管ヒータを取付けるためのホルダーを設け、アルミプレートにガラス管ヒータの上面と側面を覆うカバーを設けることで、ガラス管ヒータの熱をアルミプレートを介して冷却器全体に伝熱させ、除霜効率を向上させることができる。
【発明を実施するための最良の形態】
【００１１】
請求項１に記載の発明は、断熱箱体の内側の側壁面に冷却ユニットが設けられ、前記冷却ユニットは、冷却器下部に配置された除霜用のガラス管ヒータと、そのガラス管ヒータ下部に除霜水の受けとして設置されたドレンとからなり、前記冷却ユニットを収納し冷却室を構成するダクトカバーを備えた冷蔵庫において、前記ダクトカバーに断熱用の部材を取付けると共に前記ドレンをアルミで構成し、ドレンの庫内壁面取付け部のフランジを上部に延設し、冷却器をそのフランジに取付けることにより前記ガラス管ヒータの熱を効率よく冷却器全体に伝え、除霜効率を向上させることができる。
【００１２】
請求項２に記載の発明は、請求項１に記載の発明に、さらに前記断熱用の部材と前記冷却器の間にアルミ板を配置し、アルミ板の一部を前記ガラス管ヒータに近接する形状にすることにより前記ガラス管ヒータの熱を効率よく冷却器全体に伝え、除霜効率を向上させることができる。
【００１３】
請求項３に記載の発明は、請求項１に記載の発明において、前記ドレンをアルミで構成する代わりに前記冷却器の両サイドのアルミプレートに前記ガラス管ヒータを取付けるためのホルダーを設けると共に、アルミプレートにガラス管ヒータの上面と側面を覆うカバーが設けられていることにより前記ガラス管ヒータの熱を効率よく冷却器全体に伝え、除霜効率を向上させることができる。
【００１４】
以下、本発明による冷蔵庫の実施の形態について説明する。なお、従来と同一構成については、同一符号を付して詳細な説明を省略する。なお、この実施の形態によってこの発明が限定されるものではない。
【００１５】
（実施の形態１）
図１は、本発明の実施の形態１による冷蔵庫の断面図である。
【００１６】
図１に示すように、冷却器１の下にガラス管ヒータ２を設置した場合は、除霜運転時のガラス管ヒータ２の熱が上面のカバー３により遮られ、除霜効率を悪くしている。ガラス管ヒータ２の下に除霜水の受けとして設置されたドレン４にはガラス管ヒータ２の熱が効率良く伝わっているので、ドレン４をアルミで構成し、ドレン４の庫内壁面取付け部フランジ５を伸ばし、冷却器１をそのフランジ５に取付けることで、ガラス管ヒータ２の熱をフランジ５を介して効率よく冷却器１全体に伝えることができる。さらに冷却器１とガラス管ヒータ２、ドレン４を庫内と仕切り、冷却室を構成するためのダクトカバー６に、断熱用の部材７を取付けることでダクトカバー６からガラス管ヒータ２の熱が逃げないようにすることで除霜効率を上げる効果が得られる。
【００１７】
以上のように本実施の形態の冷蔵庫は、冷却器１の下部に配置された除霜用のガラス管ヒータ２と、そのガラス管ヒータ下部に設置されたドレン４と、庫内と冷却室を仕切るためのダクトカバー６と、ダクトカバー６に取付けた断熱用の部材７で冷却室を構成すると共に、ドレン４をアルミで構成し、ドレン４の庫内壁面取付け部のフランジ5を伸ばし、冷却器１をフランジ5に取付けることで、ガラス管ヒータ２の熱をフランジ5を介して冷却器１全体に伝熱させ、除霜効率を向上させることができる。
【００１８】
（実施の形態２）
図２は、本発明の実施の形態２による冷蔵庫の冷却室の断面図である。
【００１９】
図２において、ダクトカバー６と冷却器１の間にアルミ板8を配置し、アルミ板8の一部をガラス管ヒータ２に近接する形状にする。
【００２０】
以上のように本実施の形態の冷蔵庫は、冷却器１の下部に配置された除霜用のガラス管ヒータ２と、そのガラス管ヒータ下部に設置されたドレン４と、庫内と冷却室を仕切るためのダクトカバー６と、ダクトカバー６に取付けた断熱用の部材７で冷却室を構成し、断熱用の部材７と冷却器１の間にアルミ板8で構成され、アルミ板8の一部をガラス管ヒータ２に近接する形状にすることで、除霜運転時に、ガラス管ヒータ２の熱をアルミ板８を介して冷却器全体に伝熱させることができ、除霜効率を向上させることができる。
【００２１】
（実施の形態３）
図３は、本発明の実施の形態３による冷蔵庫の斜視図である。
【００２２】
図３において、冷却器1の両サイドのアルミプレート９にガラス管ヒータ２を取付けるためのホルダー１０を設けると共に、アルミプレート９にガラス管ヒータ２の上面と側面を覆うカバー１１を設けている。
【００２３】
以上のように本実施の形態の冷蔵庫は、冷却器１の下部に配置された除霜用のガラス管ヒータ２と、そのガラス管ヒータ下部に設置されたドレン４と、庫内と冷却室を仕切るためのダクトカバー６と、ダクトカバー６に取付けた断熱用の部材７で冷却室を構成すると共に冷却器1の両サイドのアルミプレート９にガラス管ヒータ２を取付けるためのホルダー１０を設け、アルミプレート９にガラス管ヒータ２の上面と側面を覆うカバー１１を設けることで、ガラス管ヒータ２の熱をアルミプレート９を介して冷却器１全体に伝熱させ、除霜効率を向上させることができる。
【産業上の利用可能性】
【００２４】
以上のように、本発明のかかる冷蔵庫は、冷却器の取付板をアルミ板で構成し、その取付板を延在し、除霜用ヒータを設けることで、ヒータの熱を効率よく冷却器全体に伝え、除霜効率を向上させることが可能となり、冷凍装置の除霜装置にも適応できる。
【図面の簡単な説明】
【００２５】
【図１】本発明の実施の形態１による冷蔵庫の斜視図
【図２】本発明の実施の形態２による冷蔵庫の斜視図
【図３】本発明の実施の形態３による冷蔵庫の断面図
【図４】従来の冷蔵庫の冷却室の断面図
【符号の説明】
【００２６】
１    冷却器
２    ガラス管ヒータ
３    カバー
４    ドレン
５    カバー
６    ダクトカバー
７    断熱用の部材
８    アルミ板
９    アルミプレート
１０    ホルダー
１１    カバー
１２    カバー
１３    ケーシング
【図１】
2005098574.tif 000003
【図２】
2005098574.tif 000004
【図３】
2005098574.tif 000005
【図４】
2005098574.tif 000006